(57)【特許請求の範囲】
【請求項１】
構築物の上面に設置される緑化システムであって、
前記構築物の上面に、排水層、導水層、保水層、植栽土壌層がこの順で積層された積層体と、
前記積層体の前記保水層に給水可能な態様で前記保水層に設けられ、前記積層体の積層方向に直交する方向に延びる１本または複数本の灌水管と
を備え、
前記排水層が、前記積層体の積層方向に沿って上方に突出し、かつ、１〜５ｍｍの間隔で規則的に並ぶ高さ３〜１３ｍｍの複数の中空錐台状の凸部を有する遮水性シートで構成されるとともに、防根・遮水機能を備えており、
前記導水層が１００〜３００ｇ／ｍ２の目付を有する不織布で構成されており、
前記保水層が７０〜１９０ｋｇ／ｍ３の乾燥時密度を有するロックウールで構成されており、
前記植栽土壌層の厚さが１〜３０ｍｍであり、
前記灌水管が１本の場合は前記保水層の一側端部との距離が１．５〜６ｍであり、前記灌水管が複数本の場合は隣り合う前記灌水管の間隔が１．５〜６ｍであり、
保水時重量が４５〜６０ｋｇ／ｍ２である、緑化システム。
【請求項２】
前記保水層を構成する前記ロックウールの厚さが２５〜４５ｍｍである、請求項１に記載の緑化システム。
【請求項３】
前記保水層を構成する前記ロックウールが１５０〜１９０ｋｇ／ｍ３の乾燥時密度を有する、請求項１または２に記載の緑化システム。
【請求項４】
前記積層体の周囲を囲む枠部材をさらに備え、
前記枠部材が、
前記積層体の前記保水層の側面と対面する側壁部と、
前記側壁部の上端から、前記積層体の側に直角に屈曲するようにして、前記積層体を覆う位置まで延びる庇部と、
前記庇部の前記積層体側の端部から、下方に屈曲するように延びる下垂部と
を有する、請求項１〜３のいずれか一項に記載の緑化システム。
【請求項５】
前記構築物の上面が１〜２％の水勾配を有する、請求項１〜４のいずれか一項に記載の緑化システム。
【請求項６】
前記構築物の上面が１〜２％の水勾配を有し、
前記排水層の、前記構築物の勾配下側における端部が、前記枠部材の側壁部に重なるように屈曲して上方に延び、前記保水層の上面より高い高さに位置する、請求項４に記載の緑化システム。
【請求項７】
前記排水層が屈曲する部分近傍の、前記排水層と前記枠部材の側壁部とが重なる部分に、前記排水層および前記側壁部の両方を貫いて延びる孔が設けられた、請求項６に記載の緑化システム。
【発明の詳細な説明】
【技術分野】
【０００１】
本発明は、緑化システムに関する。
【背景技術】
【０００２】
近年、市街地等の緑の創出やヒートアイランド現象の緩和等の観点から、多くの建造物に緑化システムが設けられるようになってきた。このような緑化システムの一つとして、建造物の屋上やベランダ、テラスに天然芝等の植物を植栽する緑化システムが知られている。
【０００３】
たとえば下記特許文献１、２には、植栽土壌層の下に、水分を保持する保水層としてロックウールを敷設した緑化システムが開示されている。
【先行技術文献】
【特許文献】
【０００４】
【特許文献１】特開２００９−３９０７９号公報
【特許文献２】特開２００５−１３７３６８号公報
【発明の概要】
【発明が解決しようとする課題】
【０００５】
発明者らは、鋭意研究の末、保水層についてはロックウールの密度（乾燥時密度）を高め、かつ、その他の構成要素については寸法や物性を調整することで、軽量であり、かつ、保水性、施工性および踏圧耐久性に優れた緑化システムが得られるとの知見を得た。
【０００６】
ただし、高い保水性を有する緑化システムでは、十分な排水性が得られない虞があり、排水が十分でない場合には、たとえば植物の育成が阻害される等の不具合が生じる。
【０００７】
そこで、発明者らは、排水性についてさらに研究を重ね、保水性だけでなく、排水性にも優れた緑化システムを新たに見出した。
【０００８】
すなわち、本発明は、軽量であり、かつ、高い保水性、排水性、施工性および踏圧耐久性を有する緑化システムを提供することを目的とする。
【課題を解決するための手段】
【０００９】
本発明の一形態に係る緑化システムは、構築物の上面に設置される緑化システムであって、構築物の上面に、排水層、導水層、保水層、植栽土壌層がこの順で積層された積層体と、積層体の保水層に給水可能な態様で保水層に設けられ、積層体の積層方向に直交する方向に延びる１本または複数本の灌水管とを備え、排水層が、積層体の積層方向に沿って上方に突出し、かつ、１〜５ｍｍの間隔で規則的に並ぶ高さ３〜１３ｍｍの複数の中空錐台状の凸部を有する遮水性シートで構成されており、導水層が１００〜３００ｇ／ｍ２の目付を有する不織布で構成されており、保水層が７０〜１９０ｋｇ／ｍ３の乾燥時密度を有するロックウールで構成されており、植栽土壌層の厚さが１〜３０ｍｍであり、灌水管が１本の場合は保水層の一側端部との距離が１．５〜６ｍであり、灌水管が複数本の場合は隣り合う灌水管の間隔が１．５〜６ｍであり、保水時重量が４５〜６０ｋｇ／ｍ２である。
【００１０】
上記緑化システムにおいては、積層体の保水層を構成するロックウールが、７０〜１９０ｋｇ／ｍ３の乾燥時密度を有している。その上で、積層体の排水層、導水層および植栽土壌層と、灌水管とが、上記のとおりに設計されている。この場合、軽量であり、かつ、高い保水性、排水性、施工性および踏圧耐久性を有する緑化システムが得られる。
【００１１】
また、積層体の周囲を囲む枠部材をさらに備え、枠部材が、保水層の側面と対面する側壁部と、側壁部の上端から、積層体の側に直角に屈曲するようにして、積層体を覆う位置まで延びる庇部と、庇部の積層体側の端部から、下方に屈曲するように延びる下垂部とを有する態様であってもよい。この場合、枠部材の下垂部が、保水層の上面に接して、保水層の浮き上がりを抑制することができる。また、枠部材が側壁部に加えて庇部および下垂部を有するため、枠部材が側壁部のみからなる場合に比べて、剛性が高められる。
【００１２】
また、上記構築物の上面が１〜２％の水勾配を有する態様であってもよい。この場合、積層体に含まれる水分には水勾配方向の力が働き、その方向に排水される。
【００１３】
また、上記構築物の上面が１〜２％の水勾配を有し、排水層の、構築物の勾配下側における端部が、枠部材の側壁部に重なるように屈曲して上方に延び、保水層の上面より高い高さに位置する態様であってもよい。この場合、構築物の勾配下側において、保水層の側面全面が、防根機能も有する排水層で覆われるため、根が保水層の側面を通過し、枠部材に沿って下方に伸長し、排水層の裏面に侵入することを防ぐことができる。
【００１４】
また、排水層が屈曲する部分近傍の、排水層と枠部材の側壁部とが重なる部分に、排水層および側壁部の両方を貫いて延びる孔が設けられた態様であってもよい。この場合、枠部材の外部から、孔を通して積層体の状態（たとえば、根の育成状態）を観察することができる。
【発明の効果】
【００１５】
本発明によれば、軽量であり、かつ、高い保水性、排水性、施工性および踏圧耐久性を有する緑化システムが提供される。
【図面の簡単な説明】
【００１６】
【図１】図１は、実施形態に係る緑化システムの構成を示す図である。
【図２】図２は、図１のＩＩ−ＩＩ線断面図である。
【図３】図３は、排水層および導水層を示した部分破断図である。
【図４】図４は、水勾配の下側の枠部材を示した断面図である。
【図５】図５は、排水層のシートの敷設態様の一例を示した平面図である。
【図６】図６は、導水層の不織布の敷設態様の一例を示した平面図である。
【図７】図７は、実施例に係る各緑化システムの特性を示した表である。
【発明を実施するための形態】
【００１７】
以下、本発明を実施するための形態について、添付図面を参照しつつ詳細に説明する。なお、同一又は同等の要素については同一の符号を付し、説明が重複する場合にはその説明を省略する。
【００１８】
図１および図２に示すように、実施形態に係る緑化システム１は、構築物の上面１０上に設置されている。
【００１９】
構築物の上面１０は、たとえば屋上である。ただし、構築物の上面１０は、屋上に限らず、建造物のベランダやテラス、道路や駐車場などであってもよい。
【００２０】
本実施形態では、構築物の上面１０は、水が流れるように付けた勾配（水勾配）を有しており、その水勾配は、７％以下、たとえば１〜２％の範囲である。
【００２１】
以下の説明では、構築物の上面１０の法線方向をＺ方向、構築物の上面１０に対して平行な方向であって水勾配の方向（水勾配方向）をＸ方向、構築物の上面１０に対して平行な方向であってＸ方向に直交する方向をＹ方向と称する。
【００２２】
緑化システム１は、積層体２０と、積層体２０の周囲を囲む枠部材３０と、積層体２０の内部に配設された灌水管４０とを備えている。
【００２３】
積層体２０は、排水層２１、導水層２２、保水層２３および植栽土壌層２４が積層された積層構造を有している。詳しくは、構築物の上面１０に、排水層２１、導水層２２、保水層２３、植栽土壌層２４が、この順で構築物の上面１０の法線方向（Ｚ方向）に沿って積層されて、積層体２０が構成されている。すなわち、排水層２１は構築物の上面１０に積層され、導水層２２は排水層２１の上面に積層され、保水層２３は導水層２２の上面に積層され、植栽土壌層２４は保水層２３の上面に積層されている。
【００２４】
排水層２１は、遮水性シートで構成されており、図３に示すような凹凸形状を有している。すなわち、排水層２１は、薄膜状のシート部２６と、その上面に突設された複数の凸部２７とを有するシートで構成されている。シート材料としては、合成樹脂（たとえばポリプロピレン）がコストや入手容易性の面から好適である。上記凹凸形状は、たとえば薄膜シートをプレス加工することによって得られる。
【００２５】
排水層２１は、積層体２０の余剰水分を水勾配方向に排出する排水機能を備え、導水層２２から落ちてきた水分は凸部２７の間を通って水勾配方向に沿って流れる。また、排水層２１は、構築物の上面１０への根および水の浸入を防ぐ防根・遮水機能をも備える。
【００２６】
各凸部２７は、Ｚ方向（積層体２０の積層方向）に沿って上側に延びる中空錐台形状を有しており、同一形状および同一寸法となるように設計されている。より詳しくは、各凸部２７は、Ｚ方向に直交する断面形状が環状である中空円錐台形状を有している。ただし、凸部２７は、中空円錐台形状に限らず、中空の角錐台形状（たとえば、中空四角錐台形状）等であってもよい。凸部２７の寸法に関し、図３中の符号Ｈは凸部の高さ、符号Ｄ１は凸部の下底直径、符号Ｄ２は凸部の上底直径を示している。高さＨに関しては、３〜１３ｍｍの範囲に設計される。また、下底直径Ｄ１は３〜１６ｍｍの範囲に設計され、上底直径Ｄ２は２〜４ｍｍの範囲に設計される。
【００２７】
複数の凸部２７は、図３に示すように規則的に並んでいる。たとえば、等間隔Ｐで並ぶ凸部２７の列と、その隣の等間隔Ｐで並ぶ凸部２７の列とを、１／２Ｐだけずらしたような規則配置とすることができる。隣り合う凸部２７の間隔Ｐ（シート部２６の上面における間隔）は、１〜５ｍｍの範囲に設計される。
【００２８】
なお、排水層２１は、図２に示すように、シート部２６において、釘などの留め付け具１２により構築物の上面１０に固定される。シート部２６の厚さは、たとえば０．１〜１．０ｍｍの範囲に設計される。
【００２９】
導水層２２は、不織布によって構成されており、排水層２１の上側において上述した複数の凸部２７によって支持される。導水層２２の不織布としては、水分や植物の根は通すが植栽土壌層２４の土粒子は通さず、厚さ０．５〜５．０ｍｍ、目付１００〜３００ｇ／ｍ２の範囲の不織布が採用される。不織布の材料としては、合成樹脂がコストや入手容易性の面から好適である。
【００３０】
保水層２３は、培地として機能するロックウールで構成されている。ロックウールは、鉱物繊維が不規則に絡み合うことによって構成され、繊維間の空隙に多量の水分を保持することができ、そのため、保水層２３上に配置される植栽土壌層２４の植物に対して水分を補給することができる。
【００３１】
保水層２３のロックウールは、図１に示すような矩形板状を有し、複数のロックウールを隙間なく敷設することにより保水層２３が形成されている。保水層２３のロックウールは、たとえば２５〜４５ｍｍの範囲の厚さを有し、７０〜１９０ｋｇ／ｍ３の範囲の乾燥時密度を有する。なお、乾燥時密度とは、ロックウールを、１００℃の温度条件下で２４時間乾燥させた後の密度である。ロックウールの乾燥時密度や寸法が変わると、それに応じて保水層２３の保水力、重量、強度が変わる。保水層２３のロックウールは、軽量性、保水性、排水性、施工性に加えて、より優れた踏圧耐久性を備える緑化システムを実現する観点から、１１０〜１９０ｋｇ／ｍ３の範囲の乾燥時密度を有することが好ましい。
【００３２】
植栽土壌層２４は、たとえば矩形状の芝マットであり、図１に示すように複数の芝マットを隙間なく敷設することにより形成される。植栽土壌層２４の厚さは、１〜３０ｍｍの範囲である。植栽土壌層２４において植栽される植物は、芝以外に、タマリュウ、ハイネズ、ハーブ等を採用できるが、コストの観点からは芝が好適である。なお、植栽土壌層２４の敷設寸法は、保水層２３の敷設寸法よりも一回り小さく設計されており、保水層２３の端部においては上面２３ｂが露出している。
【００３３】
枠部材３０は、積層体２０の全周を囲む部材（いわゆる見切り材）であり、四角形状に形成された積層体２０の四辺に沿うように設けられる。枠部材３０は、複数の枠部品を繋ぎ合わせて構成することができ、この場合には、部品同士を繋ぎ合わせるためのコーナーキャップ３８やジョイント３９が用いられる。
【００３４】
枠部材３０は、たとえば鋼板（高耐候性鋼板）を屈曲して形成され、図４に示すような断面を有する。具体的には、枠部材３０は、側壁部３１、底面部３２、庇部３３、および、下垂部３４で構成されている。
【００３５】
側壁部３１は、上述した積層体２０の保水層２３の側面２３ａと対面するように、Ｚ方向に沿って延びる部分である。この側壁部３１の高さ（すなわち、枠部材３０の高さ）は、たとえば６０〜１００ｍｍである。
【００３６】
底面部３２は、側壁部３１の下端から構築物の上面１０に対して平行に延びる部分である。底面部３２は、側壁部３１の下端を直角に屈曲して設けられる。底面部３２は、積層体２０の側（図４の左側）に延びて、積層体２０の端部と構築物の上面１０との間に介在する。
【００３７】
庇部３３は、側壁部３１の上端から構築物の上面１０に対して平行に延びる部分である。庇部３３は、側壁部３１の上端を直角に屈曲することで設けられる。庇部３３は、積層体２０の側（図４の左側）に延びて、植栽土壌層２４から露出する前記保水層２３の上面２３ｂを覆う（重畳する）位置まで延びる。この庇部３３の長さは、たとえば１０〜３０ｍｍである。庇部３３を設ける場合、植栽土壌層２４の敷設寸法は、保水層２３の敷設寸法よりも、庇部３３の長さと略同一長さだけ小さく設計され、保水層２３の端部においては上面２３ｂが露出している。
【００３８】
下垂部３４は、庇部３３の積層体２０側の端部（図４の左側端部）から、下方（Ｚ方向下側）に延びる部分である。下垂部３４は、庇部３３の積層体２０側の端部を直角に屈曲することで設けられる。下垂部３４は、その下端が保水層２３の上面２３ｂに当接している。なお、下垂部３４の下端は、必ずしも保水層２３の上面２３ｂに当接する必要はなく、適宜、下垂部３４の下端と保水層２３の上面２３ｂとの間には所定長さの隙間があってもよい。この下垂部３４の長さは、たとえば１０〜５０ｍｍである。
【００３９】
このように、積層体２０は、保水層２３が枠部材３０の底面部３２の上面と下垂部３４の下端との間に挟まれるように配置される。このような配置は、保水層２３を、枠部材３０の底面部３２の上面と下垂部３４の下端との間の隙間に差し込むことで実現される。
【００４０】
このように、積層体２０の周囲を囲む枠部材３０が、側壁部３１と庇部３３と下垂部３４とを有することで、下垂部３４が、保水層２３の上面２３ｂに当接して、保水層２３が風などによって浮き上がる事態を抑制することができる。また、枠部材３０が側壁部３１に加えて庇部３３および下垂部３４を有するため、枠部材３０が側壁部３１のみからなる場合に比べて、高い剛性を有する。
【００４１】
ここで、排水層２１のシートの敷設態様について、図４および図５を参照しつつ説明する。
【００４２】
排水層２１は、敷設面積が大きい等の必要に応じて、複数のシートを継ぎ足して形成することができる。複数のシートを継ぎ足す場合には、水漏れ防止のため、所定の重ね代Ｌ１（たとえば５０〜１５０ｍｍ）だけ重ね合わせた上で、接着剤で接着する。好適には、図５に示すように、水勾配方向（Ｘ方向右向き）とは反対の方向（Ｘ方向左向き）に順に施工して、シートの継ぎ目への水の浸入を防止する。ここで、凸部２７が中空錐台形状であることから、シートを重ね合わせる際、上側のシートの凸部２７と下側のシートの凸部２７とが互いに嵌り合うようにシートを重ねることができ、シートの位置合わせが容易になり、また、シートの面方向の位置ズレが防止される。
【００４３】
そして、排水層２１の水勾配方向下側（勾配下側、図５の右側）のシート端部は、枠部材３０の側壁部３１に重なるように屈曲して上方に延びるように敷設される。このシート端部は、保水層２３の上面２３ｂより高い高さに達している。つまり、勾配下側において、保水層２３の側面２３ａの全面が排水層２１のシートで覆われており、保水層２３の側面２３ａから水勾配方向に飽和した水が流出する事態が抑制されている。
【００４４】
そして、排水層２１が屈曲する部分（角部）近傍の、排水層２１と枠部材３０の側壁部３１とが重なる部分には、排水層２１および側壁部３１の両方を貫いて延びる孔３６が設けられている。すなわち、孔３６は、排水層２１の孔２１ａと側壁部３１の孔３１ａとで構成されており、これらの孔２１ａ、３１ａは同軸であり、直径は略同一となっている。たとえば、施工時やメンテナンス時には、枠部材３０の外部から、この孔３６を通して積層体２０の状態（たとえば、根の育成状態）を観察することができる。また、必要に応じて、孔３６から枠部材３０内部の水を排出することもできる。
【００４５】
一方、排水層２１の水勾配方向上側（勾配上側、図５の左側）および水勾配方向に直交する方向で対向する側（図５の上側および下側）では、シート端部は、枠部材３０の側壁部３１まで達しておらず、構築物の上面１０に対して平行となっている。
【００４６】
なお、導水層２２の不織布についても、図６に示すように、敷設面積が大きい等の必要に応じて、複数の不織布を継ぎ足して形成することができる。複数の不織布を継ぎ足す場合には、水勾配方向に対して平行に延びる複数の不織布を、所定の重ね代Ｌ２（たとえば、１０〜１００ｍｍ）だけ重ね合わせる。導水層２２に関しては、不織布の端部は、いずれの側においても枠部材３０の側壁部３１まで達しておらず、構築物の上面１０に対して平行となっている。
【００４７】
上述した緑化システム１は、さらに複数の灌水管４０を備えている。灌水管４０は、たとえば、直径が８〜２０ｍｍの範囲のパイプである。灌水管４０は、図示しない給水タンクまたは水栓から延びており、降雨量が少ないとき等、植栽に必要な水分が不足するときに、保水層２３に水を供給する。
【００４８】
複数の灌水管４０は、図１に示すように、水勾配方向（Ｘ方向）に延びる灌水管と、水勾配方向に対して直交する方向（Ｙ方向）に延びる灌水管とを備えており、互いに直交する箇所では水が流通するように連結されている。
【００４９】
各灌水管４０は、図２に示すように、保水層２３の上面に設けられたＶ溝内に配置されている。各灌水管４０の周面には、図示しない給水口が設けられており、その給水口を介して、灌水管４０から保水層２３に対して給水がおこなわれる。
【００５０】
図１に示す態様では、Ｙ方向に平行に延びる２本の灌水管４０は、その間隔が１．５〜６ｍの範囲に設計されている。なお、Ｘ方向に延びる灌水管４０のように、同方向に延びる灌水管が存在しない場合には、灌水管同士の間隔ではなく、灌水管４０と平行に延在する積層体２０の側端部との距離を、１．５〜６ｍの範囲に設計する。
【００５１】
灌水管４０は、図１、２では、保水層２３の上面２３ｂに設けられたＶ溝内に配置されるように示されているが、灌水管４０の配置はこの態様に限らず、適宜変更可能である。たとえば、保水層２３に溝を設けず、保水層の上面や下面に接するように、灌水管４０を配置する態様であってもよい。また、保水層２３の内部に灌水管４０の延在方向に沿う貫通孔を設け、その貫通孔内に灌水管４０を挿通させる態様であってもよい。
【００５２】
上述した緑化システム１では、保水時重量を４５〜６０ｋｇ／ｍ２の範囲に設計することが可能である。保水時重量とは、保水層２３が飽和状態になるまで給水し、その後、給水を停止して２４時間が経過した時点における緑化システム１の重量である。建築基準法施行令第８５条（積載荷重）には、室の種類が「屋上広場又はバルコニー」である場合は、「住宅の居室、住宅以外の建築物における寝室又は病室」である場合に準拠し、その積載荷重を６００Ｎ以上で構造計算するよう定められている。また、その他の室の種類については、８００Ｎや１６００Ｎ等、いずれも６００Ｎ以上で構造計算するように定められている。そのため、緑化システム１の保水時荷重を６００Ｎ以下（およそ６０ｋｇ／ｍ２以下）に設計することで、どのような構築物の上面にも緑化システム１を施工することが可能となる。
【００５３】
以上で説明した緑化システム１は、上述のとおり軽量であり、かつ、高い保水性、排水性、施工性および踏圧耐久性を有している。
【実施例】
【００５４】
以下では、図７の表を参照しつつ、上述した緑化システムの実施例および比較例を示して、緑化システム１の各特性について説明する。
【００５５】
図７の表には、排水層２１における「凸部２７の高さＨ（ｍｍ）」および「凸部２７の間隔Ｐ（ｍｍ）」、導水層２２における「不織布目付（ｇ／ｍ２）」、保水層２３における「ロックウールの乾燥時密度（ｋｇ／ｍ２）」および「灌水管の間隔（ｍ）」、植栽土壌層２４における「厚さ（ｍｍ）」が異なる緑化システム（実施例１、２、比較例１〜１１）について、「保水時の緑化システムの単位面積（１ｍ２）当たりの総重量（ｋｇ／ｍ２）」、「植物の育成」、「踏圧耐久性」および「施工性」を評価した結果が示されている。
【００５６】
ここで、「植物の育成」は、保水性および排水性に関係する特性であり、植物が良く育つことは、良好な保水性および排水性を有することを意味する。また、「踏圧耐久性」は、緑化システムの積層方向（Ｚ方向）における強度に関する特性であり、踏圧が負荷されたときに窪みが生じない緑化システムは踏圧耐久性が高いことを意味する。なお、図７の表において、踏圧耐久性が「◎」とは、緑化システム上を平均的な成人男性が歩行しても窪みを生じないことを意味し、踏圧耐久性が「○」とは、緑化システム上を平均的な成人男性が歩行した場合には、窪みが生じるおそれがあるが、緑化システム上に平均的な成人男性が乗っても窪みが生じないことを意味する。さらに、「施工性」は、施工のしやすさに関する特性であり、通常よりも手間や時間が増す場合には施工性が悪いことを意味する。
（実施例１）
【００５７】
実施例１は、排水層２１における凸部高さＨが４．５ｍｍ、凸部間隔Ｐが２ｍｍ、導水層２２における不織布の目付が１８０ｇ／ｍ２、保水層２３におけるロックウールの乾燥時密度が１５０ｋｇ／ｍ２、植栽土壌層２４の厚さが１０ｍｍである。
【００５８】
実施例１に係る緑化システムにおいては、「保水時の単位面積当たり重量」が５８ｋｇ／ｍ２であり、十分に軽量であった。また、「植物の育成」、「踏圧耐久性」および「施工性」についても良好な結果が得られた。なお、実施例１では、特に、優れた踏圧耐久性が得られた。
【００５９】
このように実施例１に係る緑化システムは、軽量であり、かつ、高い保水性、排水性、施工性および踏圧耐久性を有する。
（実施例２）
【００６０】
実施例２は、保水層２３におけるロックウールの乾燥時密度が１００ｋｇ／ｍ２である点でのみ上述した実施例１と異なり、その他は実施例１と同じである。
【００６１】
実施例２に係る緑化システムにおいては、「保水時の単位面積当たり重量」が５６ｋｇ／ｍ２であり、実施例１の緑化システムよりも軽量であった。また、実施例１同様、「植物の育成」、「踏圧耐久性」および「施工性」についても良好な結果が得られた。
【００６２】
このように実施例２に係る緑化システムも、軽量であり、かつ、高い保水性、排水性、施工性および踏圧耐久性を有する。
（比較例１）
【００６３】
比較例１は、保水層２３におけるロックウールの乾燥時密度が６０ｋｇ／ｍ２である点でのみ上述した実施例１と異なり、その他は実施例１と同じである。
【００６４】
比較例１に係る緑化システムにおいては、「保水時の単位面積当たり重量」が５２ｋｇ／ｍ２であり、実施例１、２の緑化システムよりも軽量であったものの、十分な「踏圧耐久性」が得られなかった。これは、ロックウールの乾燥時密度が低く、ロックウールが密でないために、保水層２３において十分な硬度が得られなかったためである。
（比較例２）
【００６５】
比較例２は、保水層２３におけるロックウールの乾燥時密度が２００ｋｇ／ｍ２である点でのみ上述した実施例１と異なり、その他は実施例１と同じである。
【００６６】
比較例２に係る緑化システムにおいては、比較例１とは反対に、「踏圧耐久性」は優れていたものの、「保水時の単位面積当たり重量」が６２ｋｇ／ｍ２であり、実施例１、２の緑化システムよりも重くなった。そのため、この緑化システムは、建築物の室の種類によっては施工できない事態が生じうる。
（比較例３）
【００６７】
比較例３は、排水層２１における凸部間隔Ｐが８ｍｍである点でのみ上述した実施例１と異なり、その他は実施例１と同じである。
【００６８】
比較例３に係る緑化システムにおいては、「保水時の単位面積当たり重量」が５８ｋｇ／ｍ２であり、実施例１の緑化システムと同じ重さであったものの、十分な「踏圧耐久性」が得られなかった。これは、排水層２１における凸部の間隔が広すぎるために、個々の凸部２７に対する負荷が大きくなり、凸部２７が潰れてしまい、さらに保水層２３が潰れてしまったためである。
（比較例４）
【００６９】
比較例４は、排水層２１における凸部間隔Ｐが１ｍｍである点でのみ上述した実施例１と異なり、その他は実施例１と同じである。
【００７０】
比較例４に係る緑化システムにおいては、「保水時の単位面積当たり重量」が５８ｋｇ／ｍ２であり、実施例１の緑化システムと同じ重さであり、優れた「踏圧耐久性」も得られた。
【００７１】
しかしながら、十分な「植物の育成」が得られなかった。これは、排水層２１における凸部２７の間隔Ｐが十分に確保されていないために、水が凸部２７の間を流れにくくなり、排水層２１の排水性が低くなってしまった結果、植物への給水が過剰になり根腐れが生じたためである。また、比較例３では「施工性」も悪化した。これは、施工時に、排水層２１のシートを重ね合わせる際に、凸部２７の間隔Ｐが狭いために、重ね合わせ作業が難しくなるためである。
（比較例５）
【００７２】
比較例５は、排水層２１における凸部高さＨが１５ｍｍである点でのみ上述した実施例１と異なり、その他は実施例１と同じである。
【００７３】
比較例５に係る緑化システムにおいては、「保水時の単位面積当たり重量」が５８ｋｇ／ｍ２であり、実施例１の緑化システムと同じ重さであり、優れた「踏圧耐久性」も得られた。
【００７４】
しかしながら、比較例５では十分な「施工性」が得られなかった。これは、施工時に、排水層２１のシートを重ね合わせる際に、凸部２７の高さＨが高すぎるために、重ね合わせ作業が難しくなるためである。
（比較例６）
【００７５】
比較例６は、排水層２１における凸部高さＨが２ｍｍである点でのみ上述した実施例１と異なり、その他は実施例１と同じである。
【００７６】
比較例６に係る緑化システムにおいては、「保水時の単位面積当たり重量」が５８ｋｇ／ｍ２であり、実施例１の緑化システムと同じ重さであり、優れた「踏圧耐久性」も得られた。
【００７７】
しかしながら、比較例６では十分な「植物の育成」が得られなかった。これは、排水層２１における凸部２７の高さＨが十分に確保されていないために、排水層２１のシート部２６と導水層２２との間に画成される水が流れる空間の高さが低くなり、排水層２１の排水性が低くなってしまった結果、植物への給水が過剰になり根腐れが生じたためである。
（比較例７）
【００７８】
比較例７は、導水層２２における目付が８０ｇ／ｍ２である点および灌水管４０の間隔が１．５ｍである点でのみ上述した実施例１と異なり、その他は実施例１と同じである。
【００７９】
比較例７に係る緑化システムにおいては、「保水時の単位面積当たり重量」が５８ｋｇ／ｍ２であり、実施例１の緑化システムと同じ重さであり、優れた「踏圧耐久性」も得られた。
【００８０】
しかしながら、比較例７では十分な「植物の育成」が得られなかった。これは、導水層２２における目付が低すぎるために、保水層２３でのロックウール間の水分のやり取りが十分におこなわれず、一部の植物への給水が不足し、渇水状態となったためである。
（比較例８）
【００８１】
比較例８は、導水層２２における目付が４２０ｇ／ｍ２である点および灌水管４０の間隔が１．５ｍである点でのみ上述した実施例１と異なり、その他は実施例１と同じである。
【００８２】
比較例８に係る緑化システムにおいては、「保水時の単位面積当たり重量」が５８ｋｇ／ｍ２であり、実施例１の緑化システムと同じ重さであり、優れた「踏圧耐久性」も得られた。
【００８３】
しかしながら、比較例７では十分な「植物の育成」が得られなかった。これは、導水層２２における目付が高すぎるために、保水層２３でのロックウール間の水分のやり取りが十分におこなわれず、一部の植物への給水が不足し、渇水状態となったためである。
（比較例９）
【００８４】
比較例９は、灌水管４０の間隔が７ｍである点でのみ上述した実施例１と異なり、その他は実施例１と同じである。
【００８５】
比較例９に係る緑化システムにおいては、「保水時の単位面積当たり重量」が５７ｋｇ／ｍ２であり、実施例１の緑化システムよりわずかに軽く、かつ、優れた「踏圧耐久性」も得られた。
【００８６】
しかしながら、比較例９では十分な「植物の育成」が得られなかった。これは、灌水管４０の間隔が広すぎるために、保水層２３への給水が十分におこなわれず、一部の植物への給水が不足し、渇水状態となったためである。
（比較例１０）
【００８７】
比較例１０は、灌水管４０の間隔が１ｍである点でのみ上述した実施例１と異なり、その他は実施例１と同じである。
【００８８】
比較例１０に係る緑化システムにおいては、「保水時の単位面積当たり重量」が５９ｋｇ／ｍ２であり、実施例１の緑化システムよりわずかに重いだけであり、かつ、優れた「踏圧耐久性」も得られた。
【００８９】
しかしながら、比較例１０では十分な「施工性」が得られなかった。これは、施工時に、灌水管４０を配設する際に、灌水管４０の間隔が狭すぎるために、運搬や連結の手間が増えて、配管作業に要する時間が延長されるためである。
（比較例１１）
【００９０】
比較例１１は、植栽土壌層２４の厚さが５０ｍｍである点でのみ上述した実施例１と異なり、その他は実施例１と同じである。
【００９１】
比較例１１に係る緑化システムにおいては、「保水時の単位面積当たり重量」が６５ｋｇ／ｍ２であり、実施例１、２の緑化システムよりも重くなった。そのため、この緑化システムは、建築物の室の種類によっては施工できない事態が生じうる。
【００９２】
また、比較例１１では十分な「施工性」が得られなかった。これは、植栽土壌層２４を構成する土壌が施工時に飛散するために、植栽土壌層２４の土壌が飛散しない対策が必要になり、それにより、植栽土壌層２４の設置に時間と手間が必要となるためである。
【００９３】
以上で説明したように、実施例１、２のように、排水層２１が中空錐台状の複数の凸部２７を有する遮水性シートで構成され、「凸部２７の高さＨ（ｍｍ）」が３〜１３ｍｍの範囲であり、「凸部２７の間隔Ｐ（ｍｍ）」が１〜５ｍｍの範囲であり、導水層２２における「不織布目付（ｇ／ｍ２）」が１００〜３００ｇ／ｍ２の範囲であり、保水層２３における「ロックウールの乾燥時密度（ｋｇ／ｍ２）」が７０〜１９０ｋｇ／ｍ３であり、植栽土壌層２４における「厚さ（ｍｍ）」が１〜３０ｍｍの範囲であり、灌水管４０の間隔が１．５〜６ｍであり、緑化システムの保水時重量を４５〜６０ｋｇ／ｍ２の範囲とした場合には、軽量であり、かつ、高い保水性、排水性、施工性および踏圧耐久性を有する緑化システムが実現される。
【００９４】
一方、上述の条件を一部満たさない比較例１〜１１はいずれも、重量、保水性、排水性、施工性および踏圧耐久性のうちの少なくとも１つを満足しないため、緑化システムとしての機能が不十分である。
【符号の説明】
【００９５】
１…緑化システム、２０…積層体、２１…排水層、２２…導水層、２３…保水層、２４…植栽土壌層、２７…凸部、３０…枠部材、３１…側壁部、３３…庇部、３４…下垂部、４０…灌水管。
【要約】
【課題】  軽量であり、かつ、高い保水性、排水性、施工性および踏圧耐久性を有する緑化システムを提供する。
【解決手段】
緑化システム１は、構築物の上面１０に設置される緑化システムであって、排水層２１が、１〜５ｍｍの間隔で規則的に並ぶ高さ３〜１３ｍｍの複数の中空錐台状の凸部２７を有する遮水性シートで構成されており、導水層２２が１００〜３００ｇ／ｍ２の目付を有する不織布で構成されており、保水層２３が７０〜１９０ｋｇ／ｍ３の乾燥時密度を有するロックウールで構成されており、植栽土壌層２４の厚さが１〜３０ｍｍであり、灌水管４０の間隔が１．５〜６ｍであり、保水時重量が４５〜６０ｋｇ／ｍ２である。このような緑化システム１は、軽量であり、かつ、高い保水性、排水性、施工性および踏圧耐久性を有する。
【選択図】  図１【図１】
0005594424.tif 000002
【図２】
0005594424.tif 000003
【図３】
0005594424.tif 000004
【図４】
0005594424.tif 000005
【図５】
0005594424.tif 000006
【図６】
0005594424.tif 000007
【図７】
0005594424.tif 000008